(57)【要約】      （修正有）【課題】草を刈る場所に合わせて異なる種類の草刈機を用意する必要のある場合に、使用者にとって作業上の負担や経済的な負担が大きくならないようにする。【解決手段】草を刈る草刈刃５０Ａ，５０Ｂを一端に備えるとともに、草を刈る動力を草刈刃に伝達する第１の伝動軸を内部に備えた複数種の第１の操作ロッド７０と、動力を発生する動力源１０を一端に備えるとともに、この動力源１０の動力を伝達する第２の伝動軸を内部に備えた第２の操作ロッド４０と、第１の操作ロッド７０の他端と第２の操作ロッド４０の他端とを着脱自在に連結するとともに、第１の伝動軸の他端と第２の伝動軸の他端とを着脱自在に連結し動力源１０の動力を草刈刃５０Ａ，５０Ｂに伝達する連結部８０とを備える。【選択図】図１
2012090535.tif 000002
【特許請求の範囲】
【請求項１】
草を刈る草刈刃を一端に備えるとともに、上記草刈刃に動力を伝達する第１の伝動軸を内部に備えた複数種の第１の操作ロッドと、
動力源を一端に備えるとともに、この動力源から動力を伝達する第２の伝動軸を内部に備えた第２の操作ロッドと、
上記第１の操作ロッドと上記第２の操作ロッドとを着脱自在に連結するとともに、上記第１の伝動軸と上記第２の伝動軸とを着脱自在に連結して上記動力源の動力を上記草刈刃に伝達する連結部と、
を備えることを特徴とする草刈機。
【請求項２】
第１の操作ロッドおよび第２の操作ロッドは、連結の際に、両者の他端の一方が他方に挿入されるとともに、貫通する一対の孔が他端にそれぞれ形成され、
連結部は、第１の操作ロッドまたは第２の操作ロッドの外側面に回動可能に設けられ、この回動軸を中心に、上記貫通する一対の孔に係合する係合部と、上記貫通する一対の孔に上記係合部が係合するよう付勢する弾性体とを両側にそれぞれ形成した掛け止め具を有することを特徴とする請求項1記載の草刈機。
【請求項３】
連結部は、第１の操作ロッドまたは第２の操作ロッドに設けられ、掛け止め具を覆う覆蓋部を備えることを特徴とする請求項２記載の草刈機。
【請求項４】
第１の伝動軸および第２の伝動軸は、スプライン結合部を有することを特徴とする請求項1記載の草刈機。
【発明の詳細な説明】
【技術分野】
【０００１】
この発明は、動力で回転する刈刃をロッドの端に備えて雑草などを刈り取る草刈機の分野に係るものである。
【背景技術】
【０００２】
畦や畦際の雑草を刈る場合、例えば特許文献１のような円盤カッターを用いた刈払機型の草刈機を使用する。他方、畝間などの草を刈る場合は、例えば特許文献２のような除草ロータを用いた中耕除草機型の草刈機を使用する。
【先行技術文献】
【特許文献】
【０００３】
【特許文献１】特開２００９−９５２６５号公報（第９頁、図1〜４）
【特許文献２】特開２００８−１１８９７５号公報（第３頁、図１）
【発明の概要】
【発明が解決しようとする課題】
【０００４】
このように従来は、草を刈る場所が畦か畝間かで異なる種類の草刈機を用意するので、農家にとって作業上の負担や経済的な負担が大きいという課題があった。
【０００５】
この発明は上記のような課題を解決するためになされたものであり、草を刈る場所に合わせて異なる種類の草刈機を用意する必要がなく、使用者の作業上の負担や経済的な負担を軽減することが可能な草刈機を提供することを目的とする。
【課題を解決するための手段】
【０００６】
この発明の草刈機は、草を刈る草刈刃を一端に備えるとともに、草刈刃に動力を伝達する第１の伝動軸を内部に備えた複数種の第１の操作ロッドと、動力源を一端に備えるとともに、この動力源から動力を伝達する第２の伝動軸を内部に備えた第２の操作ロッドと、第１の操作ロッドと第２の操作ロッドとを着脱自在に連結するとともに、第１の伝動軸と第２の伝動軸とを着脱自在に連結して動力源の動力を草刈刃に伝達する連結部と、を備える。
【０００７】
また、第１の操作ロッドおよび第２の操作ロッドは、連結の際に、両者の他端の一方が他方に挿入される。そして貫通する一対の孔が他端にそれぞれ形成され、連結部は、第１の操作ロッドまたは第２の操作ロッドの外側面に回動可能に設けられ、この回動軸を中心に、貫通する一対の孔に係合する係合部と、貫通する一対の孔に係合部が係合するよう付勢する弾性体とを両側にそれぞれ形成した掛け止め具を有する。
【０００８】
前記連結部は、第１の操作ロッドまたは第２の操作ロッドに設けられ、掛け止め具を覆う覆蓋部を備える。
【０００９】
第１の伝動軸および第２の伝動軸は、スプライン結合部を有する。
【発明の効果】
【００１０】
以上のように、この発明によれば、草を刈る草刈刃を一端に備えるとともに、上記草刈刃に動力を伝達する第１の伝動軸を内部に備えた複数種の第１の操作ロッドと、動力源を一端に備えるとともに、この動力源から動力を伝達する第２の伝動軸を内部に備えた第２の操作ロッドと、上記第１の操作ロッドと上記第２の操作ロッドとを着脱自在に連結するとともに、上記第１の伝動軸と上記第２の伝動軸とを着脱自在に連結して上記動力源の動力を上記草刈刃に伝達する連結部と、を備えるので、複数種の第１の操作ロッドから、草を刈る場所に適した型を選んで第２の操作ロッドに連結し草を刈れるようになり、草を刈る場所に合わせて異なる型の草刈機を用意する必要がなく、使用者の作業上の負担や経済的な負担を軽減できるという効果を奏する。
【００１１】
この発明によれば、第１の操作ロッドおよび第２の操作ロッドは、連結の際に、両者の他端の一方が他方に挿入されるとともに、貫通する一対の孔が他端にそれぞれ形成され、
連結部は、第１の操作ロッドまたは第２の操作ロッドの外側面に回動可能に設けられ、この回動軸を中心に、上記貫通する一対の孔に係合する係合部と、上記貫通する一対の孔に上記係合部が係合するよう付勢する弾性体とを両側にそれぞれ形成した掛け止め具を有するので、掛け止め具の弾性体側を押したり離したりする簡単な操作だけで第１の操作ロッドと第２の操作ロッドとを着脱自在に連結できるようになり、草刈機の操作性が向上するという効果を奏する。
【００１２】
この発明によれば、連結部は、第１の操作ロッドまたは第２の操作ロッドに設けられ、掛け止め具を覆う覆蓋部を備えるので、草を刈っている最中に掛け止め具に誤って触れてしまうことがなくなり、第１の操作ロッドが草刈機から外れる不測の事態を防止できるという効果を奏する。
【００１３】
この発明によれば、第１の伝動軸および第２の伝動軸は、スプライン結合部を有するので、スプライン結合部という簡単な構成により第１の伝動軸および第２の伝動軸を着脱自在に連結して確実に動力を伝達できるようになり、草刈機の製造が容易になり、安定した性能が得られるという効果を奏する。
【図面の簡単な説明】
【００１４】
【図１】この発明の実施の形態１による草刈機の外観を示す斜視図である。
【図２】連結部の構成を示す斜視図である。
【図３】この発明の実施の形態１による草刈機の使用方法を説明するための断面図である。
【図４】この発明の実施の形態１による草刈機の変形例を示す断面図である。
【発明を実施するための形態】
【００１５】
以下、図面を参照しつつ、この発明の実施の形態を詳細に説明する。なお、各図面では、同一の構成または相当する構成については同一の符号を付す。
実施の形態１．
図１はこの発明の実施の形態１による草刈機の外観を示す斜視図である。
【００１６】
図１において、１０は動力を発生するエンジンや電気モータなどの動力源、２０は使用者の体に掛けるベルト、３０は作業の際に手で握るハンドル、４０は動力源１０側のパイプ状の操作ロッド、５０は回転して草を刈る草刈刃であり、円盤カッタータイプの草刈刃５０Ａは地面と垂直な回転軸ａｘ１周りに回転し、除草ロータタイプの草刈刃５０Ｂは地面と水平な回転軸ａｘ２周りに回転する。
【００１７】
また図１において、６０は草刈刃５０から飛び散る草・土・小石から使用者を護るカバー、６０Ｓは地面に突き当たって草刈刃５０Ｂの転がり過ぎを防止する抵抗棒、７０は草刈刃５０側のパイプ状の操作ロッド、８０は操作ロッド４０と操作ロッド７０とを着脱自在に連結する連結部である。図１（ｂ）では、草刈刃５０Ｂによる草刈作業のやり易さを考慮して操作ロッド７０をやや曲げてあり、この形状に合うように、操作ロッド７０内の伝動軸には鋼を用いている。
【００１８】
図２は連結部８０の構成を示す斜視図である。
図２において、４１は動力源１０側の伝動軸、４２は伝動軸４１の端に形成された凸状のスプライン結合部、４３は操作ロッド４０の開口、７１は草刈刃５０に動力を伝達する伝動軸、７２は伝動軸７１の端に形成された凹状のスプライン結合部、８１は操作ロッド４０の表面に回動可能に設けられた掛け止め具、８２は掛け止め具８１の回動軸、８３は掛け止め具８１の一端に設けられたバネなどの弾性体、８４は掛け止め具８１の他端に設けられたツメなど係合部、８５，８６は操作ロッド４０および操作ロッド７０に形成された一対の孔である。
【００１９】
次に使用方法について説明する。
図３はこの発明の実施の形態１による草刈機の使用方法を説明するための断面図である。
まず、図３（ａ）に示すように、弾性体８３の付勢力に抗うように、掛け止め具８１の弾性体８３側を指で操作ロッド４０側へ押すと、指の押圧力により回動軸８２を中心にして掛け止め具８１が回動し、係合部８４が孔８５から抜ける。
【００２０】
続いて、図３（ｂ）に示すように、操作ロッド４０の開口４３に対して操作ロッド７０を挿入すると、伝動軸４１のスプライン結合部４２に伝動軸７１のスプライン結合部７２が嵌り、このとき孔８５と孔８６とがちょうど重なりあって貫通する。
【００２１】
さらに、図３（ｃ）に示すように、掛け止め具８１の弾性体８３側から指を離すと、弾性体８３の付勢力により回動軸８２を中心にして掛け止め具８１が回動し、孔８５，８６に係合部８４が嵌る。これにより、操作ロッド４０から操作ロッド７０が抜けないようになる。
【００２２】
操作ロッド４０，７０の連結が完了すると、使用者はベルト２０により草刈機を体に保持し、図３（ｄ）に示すように、操作ロッド４０の一端に備えた動力源１０を起動する。この動力源１０の動力により、操作ロッド４０内に設けた伝動軸４１と、操作ロッド７０内に設けた伝動軸７１とが回転軸ａｘ０周りに回転して草刈刃５０を回転させ、使用者はハンドル３０を使って操作ロッド４０，７０を操作しつつ、草刈刃５０により草を刈る。操作ロッド７０を別のものに連結し直す場合も図３と同様の動作を行う。
【００２３】
このように、この実施の形態１によれば、圃場において、畦や畦際の草を刈る場合は草刈刃５０Ａを一端に備えた操作ロッド７０を操作ロッド４０に着脱自在に連結して草を刈り、一方、畝間などの草を刈る場合は草刈刃５０Ｂを一端に備えた操作ロッド７０を操作ロッド４０に着脱自在に連結して草を刈ることができるので、草を刈る場所に合わせて異なる型の草刈機を用意する必要がなくなり、使用者の作業上の負担や経済的な負担を軽減することが可能となっている。
【００２４】
また、この実施の形態１によれば、凸状のスプライン結合部７２と、このスプライン結合部７２の形状に合わせて削り込んだ凹状のスプライン結合部４２という簡単な構成のおかげで、伝動軸４１，７１を着脱自在に連結して確実に動力を伝達できるようになり、草刈機の製造が容易になり、安定した性能が得られる。
【００２５】
さらに、この実施の形態１によれば、掛け止め具８１の弾性体８３側を押したり離したりするだけの簡単な操作で操作ロッド４０，７０を着脱自在に連結できるようになり、草刈機の操作性を向上させている。
【００２６】
ここで、例えば図４のスライドカバーのように、掛け止め具８１を覆う覆蓋部８７を連結部８０に設けるようにしても良い。このことにより、作業中などに掛け止め具８１に誤って触れてしまうことがなくなり、草刈刃５０側が草刈機から外れる不測の事態を防止できる。
【００２７】
なお、草刈刃５０は、円盤カッタータイプの草刈刃５０Ａや除草ロータタイプの草刈刃５０Ｂ以外のものであっても良い。また、掛け止め具８１は操作ロッド７０側に形成することも可能である。さらに、スプライン結合部４２，７２の形状は特に限定されるものではなく、角柱以外の凹凸状でも良い。さらに、覆蓋部８７はスライドカバーに限定されず、他の方式でも良い。
【符号の説明】
【００２８】
１０  動力源、２０  ベルト、３０  ハンドル、４０  操作ロッド、４１  伝動軸、４２  スプライン結合部、４３  開口、５０，５０Ａ，５０Ｂ  草刈刃、ａｘ０，ａｘ１，ａｘ２  回転軸、６０  カバー、６０Ｓ  抵抗棒、７０  操作ロッド、７１  伝動軸、７２  スプライン結合部、８０  連結部、８１  掛け止め具、８２  回動軸、８３  弾性体、８４  係合部、８５，８６  孔、８７  覆蓋部。
【図１】
2012090535.tif 000003
【図２】
2012090535.tif 000004
【図３】
2012090535.tif 000005
【図４】
2012090535.tif 000006